(57)【要約】【課題】足場板への取付性を容易化し、しかも、着脱可能として足場板の運搬・取扱等の労力負担を軽減し得る足場板用巾木を提供すること。【解決手段】足場板１の巾方向端部に足場板１の上面から上方へ向けて直立して取り付けられる巾木２であって、該巾木２は、板状の主体部２ａと、該主体部２ａの下部に一体成形された取付脚部２ｂとを有する巾木本体２ｃと、該巾木本体２ｃを、足場板１に着脱可能に取り付ける取付手段３を備えており、前記取付脚部２ｂは、前記主体部２ａを足場板１の巾方向端部側面から直立した状態で足場板１に取り付けるために、足場板１の巾方向端部の上面と側面とに当接係合する当接部２ｂ１、２ｂ２を備えている。【選択図】図１
2010265695.tif 000002
【特許請求の範囲】
【請求項１】
足場板の巾方向端部に足場板の上面から上方へ向けて直立して取り付けられる巾木であって、
該巾木は、板状の主体部と、該主体部の下部に一体成形された取付脚部とを有する巾木本体と、該巾木本体を、足場板に着脱可能に取り付ける取付手段を備えており、
前記取付脚部は、前記主体部を足場板の巾方向端部側面から直立した状態で足場板に取り付けるために、足場板の巾方向端部の上面と側面とに当接係合する当接部を備えていることを特徴とする足場板用巾木。
【請求項２】
前記取付脚部の当接部の下面は、上面が山形の筒体を巾方向に複数本連結して形成された足場板の巾方向端部上面に適合嵌合する山形に形成されていることを特徴とする請求項１に記載の足場板用巾木。
【請求項３】
前記取付脚部の足場板への当接部の上面は、下向き傾斜面としてあることを特徴とする請求項２に記載の足場板用巾木。
【請求項４】
前記取付手段は、前記巾木本体の主体部の下部の内面側に基端が固定され、前記足場板に巻き付けられるバンドと、前記主体部の下部の外面側に取り付けられ、前記足場板に巻き付けられたバンドの先端側を挿通して巻き締めるラチェットバックルとを備えていることを特徴とする請求項１に記載の足場板用巾木。
【発明の詳細な説明】
【技術分野】
【０００１】
本発明は、建設現場、工事現場、造船所、その他、各種の作業現場等の作業足場として用いられる足場板から側方へ落下物が落下することを防止するために足場板の巾方向一側又は両側に足場板の上面から上方へ直立して、しかも、足場板の全長に亘って取り付けられる巾木に関するものである。
【背景技術】
【０００２】
近時、足場板から側方へ落下物が落下することを防止するために足場板の巾方向一側又は両側に巾木を取り付けることが義務付けされるようになり、従来の足場板（例えば、特許文献１参照）にも巾木を取り付けることが必要となってきている。
【先行技術文献】
【特許文献】
【０００３】
【特許文献１】特開２００４−３５３４０８号公報
【発明の概要】
【発明が解決しようとする課題】
【０００４】
従来の足場板には、巾木を取り付けることが義務付けされていなかったため、巾木が取り付けられておらず、また、巾木を簡単に取り付けることもできなかった。
なお、巾木を足場板に予め一体に形成しておくことも可能であるが、このように巾木を足場板に一体に形成した場合には、足場板自体の重量だけでも相当に重い上に、巾木の重量分が加算されて一層重くなり、足場組立時や解体時の運搬・取扱等の労力負担が増加するという問題点があった。
本発明は、足場板への取付性を容易化し、しかも、着脱可能として足場板の運搬・取扱等の労力負担を軽減し得る足場板用巾木を提供することを目的としている。
【課題を解決するための手段】
【０００５】
前記目的を達成するために本発明は、足場板の巾方向端部に足場板の上面から上方へ向けて直立して取り付けられる巾木であって、
該巾木は、板状の主体部と、該主体部の下部に一体成形された取付脚部とを有する巾木本体と、該巾木本体を、足場板に着脱可能に取り付ける取付手段を備えており、
前記取付脚部は、前記主体部を足場板の巾方向端部側面から直立した状態で足場板に取り付けるために、足場板の巾方向端部の上面と側面とに当接係合する当接部を備えていることを特徴としている。
【０００６】
この構成によれば、巾木を有していない既存の足場板に巾木を容易に取り付けることができ、その際、巾木を足場板の巾方向端部側面から垂直に直立した状態で安定して支持させることができ、取付手段による取付作業の実施が容易となると共に、巾木を足場板から取り外して運搬や保管ができるため、労力負担を軽減でき、取扱、保管も容易となる。
前記取付脚部の当接部の下面は、上面が山形の筒体を巾方向に複数本連結して形成された足場板の巾方向端部上面に適合嵌合する山形に形成されていることが好ましい。
この構成によれば、サンドブラスト作業や、洗浄水吹き付けによる洗浄作業等における砂や水が足場板上に滞留することを防止し、しかも、双方の山形を当接係合させることで、足場板の巾方向に対する巾木の位置決めを行わせることができるため、巾木を足場板の巾方向端部側面から垂直に直立した状態で前記よりもさらに安定して支持させることができ、取付手段による取付作業の実施が容易となる。
【０００７】
前記取付脚部の足場板への当接部の上面は、下向き傾斜面としてあることが好ましい。
この構成によれば、サンドブラスト作業や、洗浄水吹き付けによる洗浄作業等における砂や水が取付脚部上に滞留することを防止することができる。
前記取付手段は、前記巾木本体の主体部の下部の内面側に基端が固定され、前記足場板に巻き付けられるバンドと、前記主体部の下部の外面側に取り付けられ、前記足場板に巻き付けられたバンドの先端側を挿通して巻き締めるラチェットバックルとを備えていること特徴としている。
【０００８】
この構成によれば、足場板への巾木の取付け、取り外しを容易にすることができる。
【発明の効果】
【０００９】
本発明によれば、足場板への取付性を容易化し、しかも、着脱可能として足場板の運搬・取扱等の労力負担を軽減し得る足場板用巾木を提供することができる。
【図面の簡単な説明】
【００１０】
【図１】本発明に係る足場板用巾木の実施形態を示す側面図である。
【図２】図１の取付手段部分の拡大側面図である。
【図３】図１の巾木の長手方向の中間を省略して示す正面図である。
【図４】図３の取付手段部分の拡大正面図である。
【図５】図１の巾木の長手方向の中間を省略して示す平面図である。
【図６】得５の取付手段部分の拡大平面図である。
【図７】本発明に係る巾木の別の実施形態を示す側面図である。
【発明を実施するための形態】
【００１１】
以下、本発明の実施形態を図面を参照して説明する。
図１〜図６において、１は足場板、２は巾木を示している。
足場板１は、上下面が山形で両側面が縦長の六角形とされ、内部が中空とされた金属材料、例えば、アルミ押出型材よりなる角パイプ状の筒体１ａを、長手方向の複数箇所でつなぎ材１ｂにより所定間隔（足が落ち込まない程度の間隔）で複数本（５本の場合を例示するが、これに制約されない）を連結して構成されおており、両端部には、端板１ｃが取り付けられて角パイプ状の筒体１ａの開口部を閉鎖させている。なお、つなぎ材１ｂと端板１ｃとは、角パイプ状の筒体１ａと同一材料で構成されている。
【００１２】
この足場板１は、パイプ足場（図示省略）等の支柱間に架設された横桟に取り付けられるが、それらは省略している。
巾木２は、足場板１の巾方向一端部又は両端部に足場板１の上面から上方へ向けて直立して、しかも、足場板１の全長に亘って取り付けられる。
この巾木２は、足場板１の全長（例えば、２ｍ〜４ｍ）と略同長で所定高さ寸法（例えば、２０〜３０ｃｍ）とされた板状の主体部２ａと、この主体部２ａの下部に一体成形された取付脚部２ｂとを有する巾木本体２ｃと、該巾木本体２ｃを足場板１に着脱可能に取り付ける取付手段３とを備えている。主体部２ａの板厚は、要求される強度に応じたものとされ、例えば、本実施形態では、３．５ｍｍとされており、上端と中間２箇所にリブ２ｄが長手方向全長に亘って設けられている。
【００１３】
この取付脚部２ｂは、巾木２の主体部２ａを足場板１の巾方向端部側面から垂直に直立した状態で足場板１に取り付けるために、足場板１の巾方向一端部の上面と側面とに当接係合する当接部２ｂ１、２ｂ２を備えている。
本実施形態において、足場板１は、上面が山形とされており、この上面に当接係合する取付脚部２ｂの当接部２ｂ１の下面も山形とされている。また、取付脚部２ｂの足場板１への当接部２ｂ１の上面は、下向き傾斜面としてある。
取付脚部２ｂの当接部２ｂ１、２ｂ２のうち、足場板１の側面への当接部２ｂ２は、巾木２の主体部２ａと同一垂直面に形成されている。ただし、足場板１の山形の上面への当接部２ｂ１と側面への当接部２ｂ２との分岐部には、円弧状の凹部２ｅを形成して材料の節減と軽量化を図っている。この凹部２ｅは、下半部が砂や水が溜まらないように傾斜面とされている。
【００１４】
この巾木２は、足場板１と同一材料（アルミ押出型材）で構成してもよく、異なる材料（他の金属材料や強化樹脂材料）で構成してもよい。
この巾木２の取付脚部２ｂは、足場板１に取付手段３を介して着脱可能に取り付けるように構成されている。
この取付手段３は、巾木２の主体部２ａの下部の内面側に基端が第１固定ブラケット３ａを介して固定され、他端側が前記足場板１に巻き付けられるバンド３ｂと、前記主体部２ａの下部の外面側に第２固定ブラケット３ｃを介して取り付けられ、前記足場板１に巻き付けられたバンド３ｂの先端側を挿通して巻き締めるラチェットバックル３ｄとを備えている。
【００１５】
第１固定ブラケット３ａは、巾木２の主体部２ａへの取付面部３ａ１の両側に耳片部３ａ２が直立して形成され、全体が平面視でコ字形とされ、この両側の耳片部３ａ２間にピン３ａ３が架設され、このピン３ａ３にバンド３ｂの基端の折り返しループ部３ｂ１が挿通されて固定されており、取付面部３ａ１が巾木２の主体部２ａにネジ３ａ４で取り付けられている。
第２の固定ブラケット３ｃは、巾木２の主体部２ａへの取付面部３ｃ１の両側に耳片部３ｃ２が直立して形成され、全体が平面視でコ字形とされ、この両側の耳片部３ｃ２間にピン３ｃ３が架設され、このピン３ｃ３にラチェットバックル３ｄの本体レバー３ｄ１の基端（上端）が挿通されて回動可能に支持されており、取付面部３ｃ１が巾木２の主体部２ａにネジ３ｃ４で取り付けられている。なお、第１固定ブラケット３ａと第２固定ブラケット３ｃとは、巾木２に対して、本実施形態では、共通のネジで取り付けるようにした場合を示しているが、別のネジで取り付けてもよい。
【００１６】
ラチェットバックル３ｄは、本体レバー３ｄ１と、操作レバー３ｄ２と、巻取り軸３ｄ３と、ラチェット車３ｄ４と、第１ラチェット爪３ｄ５と、第２ラチェット爪３ｄ６とを備えている。
これらの組立構造は、本体レバー３ｄ１の自由端（下端）に操作レバー３ｄ２の基端（下端）が重ね合わされ、この部分に巻取り軸３ｄ３が回転自在に貫通して取り付けられ、この巻取り軸３ｄ３にラチェット車３ｄ４が一体回転可能に固着され、本体レバー３ｄ１に第１ラチェット爪３ｄ５がラチェット車３ｄ４にバネを介して常時係合せしめられ、操作レバー３ｄ２に第２ラチェット爪３ｄ６がラチェット車３ｄ４にバネを介して常時係合せしめられ、操作レバー３ｄ２の自由端（上端）側を把持して往復回動させることにより、ラチェット車３ｄ４を一定方向に間欠的に回動（図１、図２において時計方向に回動）させるように組立構成されている。
【００１７】
具体的な動作は、図１、図２において、操作レバー３ｄ２を時計方向に回動させるとき、第２ラチェット爪３ｄ６がラチェット車３ｄ４の歯に係合してラチェット車３ｄ４を時計方向に一体的に回動させる。このとき、本体レバー３ｄ１の第１ラチェット爪３ｄ５は、ラチェット車３ｄ４の歯によりバネに抗して押し戻されてラチェット車３ｄ４の時計方向の回転を許容（空回り）する。そして、操作レバー３ｄ２を反時計方向に回動させるとき、第２ラチェット爪３ｄ６は、ラチェット車３ｄ４の歯によりバネに抗して押し戻されて空戻りし、このとき、ラチェット車３ｄ４は、第１ラチェット爪３ｄ５によって反時計方向の回動が阻止されている。即ち、ラチェット車３ｄ４は、操作レバー３ｄ２の往復回動操作によって、時計方向に間欠的に回動せしめられる。
【００１８】
上記ラチェット車３ｄ４には、巻取り軸３ｄ３が一体に取り付けられており、この巻取り軸３ｄ３には、バンド３ｂの先端３ｂ２を挿通するスリット３ｄ７が形成されている。このスリット３ｄ７にバンド３ｂの先端３ｂ２を挿通して操作レバー３ｄ２を往復回動操作すれば、バンド３ｂを巻取り軸３ｄ３に巻き取らせることができる。従って、図１、図２に示すように、バンド３ｂを足場板１に巻き付けておけば、巾木２を足場板１にしっかりと取り付けることができる。巾木２を足場板１から取り外す場合には、第１ラチェット爪３ｄ５をバネに抗して強制的に押し戻してラチェット車３ｄ４の歯から外し、この状態でバンド３ｂを引っ張って巻取り軸３ｄ３から巻き戻せばよい。
【００１９】
取付手段３の取付箇所は、本実施形態では、巾木２の長手方向の両端付近の２箇所としているが、これに制約されない。
図７は、本発明の他の実施形態であって、足場板１が４角形の角パイプ材に適用したものである。この場合、取付脚部２ｂは、足場板１の上面への当接部２ｂ１が水平とされ、足場板１の側面への当接部２ｂ２が垂直とされ、この当接部２ｂ２は巾木２の主体部２ａを垂直に延長して形成されている。他の構成は、前記実施形態と同様である。
本発明の実施形態は以上からなるが、本発明は、これらの実施形態にのみ制約されるものではなく、適宜変更して実施してもよい。例えば、巾木２は足場板１の全長に亘る長さとしているが、短くてもよく、高さも適宜に設定してよい。また、巾木の取付脚部２ｂは、主体部２ａの全長に亘って形成した場合を例示しているが、主体部の長手方向の複数箇所（例えば、２〜３箇所）に分離して形成してもよい。また、ラチェットバックルに限らず、他のバンド止め具を使用してもよく、また、取付脚部２ｂの当接部２ｂ２を足場板１の側面にネジ止めしてもよい。さらに、足場板１は、一枚の板状のものに適用してもよい。なお、取付脚部２ｂの長さや当接面形状は、足場板１の上面と側面の長さや形状に対応して適宜に形成すればよい。
【産業上の利用可能性】
【００２０】
本発明は、建設現場、工事現場、造船所、その他、各種の作業現場等の作業足場として用いられる足場板への巾木として利用することができる。
【符号の説明】
【００２１】
１    足場板
２    巾木
３    取付手段
【図１】
2010265695.tif 000003
【図２】
2010265695.tif 000004
【図３】
2010265695.tif 000005
【図４】
2010265695.tif 000006
【図５】
2010265695.tif 000007
【図６】
2010265695.tif 000008
【図７】
2010265695.tif 000009